(57)【特許請求の範囲】
【請求項１】
モータと、前記モータによって巻き取ったり繰り出したりする複数の紐体と、それぞれの前記紐体の先端に設けられた紐体取付具と、前記モータを内蔵する筐体とを備えた左右の本体装置と、
前記左右の本体装置をカーテンレールのランナーに取り付ける吊下具とを備え、
前記右本体装置を前記吊下具を介してカーテンレールの右端の固定ランナーに取り付け、前記紐体の１つを前記紐体取付具を介して右先頭ランナーに取り付け、前記紐体の他の１つを前記紐体取付具を介して左先頭ランナーに取り付け、
前記左本体装置を前記吊下具を介してカーテンレールの左端の固定ランナーに取り付け、前記紐体の１つを前記紐体取付具を介して左先頭ランナーに取り付け、前記紐体の他の１つを前記紐体取付具を介して右先頭ランナーに取り付け、
前記左右の本体装置を前記カーテンレール端の左右の固定ランナーに吊下せしめて上下方向および左右方向に固定し、
前記モータの回転により前記紐体の巻き取りおよび繰り出しを制御して前記左右の先頭ランナーの左右方向への移動を制御し、カーテンの開閉を可能としたことを特徴とするカーテン自動開閉システム。
【請求項２】
前記右本体装置から前記右先頭ランナーに取り付けた前記紐体を巻き取るととも前記左本体装置から前記右先頭ランナーに取り付けた前記紐体を同期せしめて繰り出し、前記左本体装置から前記左先頭ランナーに取り付けた前記紐体を巻き取るととも前記右本体装置から前記左先頭ランナーに取り付けた前記紐体を同期せしめて繰り出ことにより、前記カーテンを開き、
前記左本体装置から前記右先頭ランナーに取り付けた前記紐体を巻き取るとともに前記右本体装置から前記右先頭ランナーに取り付けた前記紐体を同期せしめて繰り出し、前記右本体装置から前記左先頭ランナーに取り付けた前記紐体を巻き取るとともに前記左本体装置から前記左先頭ランナーに取り付けた前記紐体を同期せしめて繰り出すことにより、前記カーテンを閉じる請求項１に記載のカーテン自動開閉システム。
【請求項３】
前記左右の本体装置の筐体表面に前記カーテンのカーテンフックを引っ掛けるためのダミーリングを備え、
前記左本体装置を前記カーテンレールの左端の固定ランナーに吊下せしめた状態で、前記カーテンの左端のカーテンフックを前記左本体装置の筐体表面のダミーリングに引っ掛け、前記右本体装置を前記カーテンレールの右端の固定ランナーに吊下せしめた状態で、前記カーテンの右端のカーテンフックを前記右本体装置の筐体表面のダミーリングに引っ掛けて前記カーテンを取り付ける請求項１または２に記載のカーテン自動開閉システム。
【請求項４】
前記吊下具が、前記カーテンレールのランナーのランナーリングに引っ掛けるフック部と、
前記フック部の近隣に設けられた、前記カーテンのカーテンフックの引っ掛け先となるダミーリング部分とを備え、
前記左本体装置を前記カーテンレールの左端の固定ランナーに吊下せしめた状態で、前記カーテンの左端のカーテンフックを前記吊下具のダミーリング部分に引っ掛け、前記右本体装置を前記カーテンレールの右端の固定ランナーに吊下せしめた状態で、前記カーテンの右端のカーテンフックを前記吊下具のダミーリング部分に引っ掛けて前記カーテンを取り付ける請求項１または２に記載のカーテン自動開閉システム。
【請求項５】
前記吊下具が、リング形状を持ち、当該リングの一部の開閉が可能であり、カーテンランナーリングに脱着可能なリング状のフック部分を備え、
前記左本体装置を前記カーテンレールの左端の固定ランナーに吊下せしめた状態で、前記カーテンの左端のカーテンフックを前記吊下具のリング状のフック部分に引っ掛け、前記右本体装置を前記カーテンレールの右端の固定ランナーに吊下せしめた状態で、前記カーテンの右端のカーテンフックを前記吊下具のリング状のフック部分に引っ掛けて前記カーテンを取り付ける請求項１または２に記載のカーテン自動開閉システム。
【発明の詳細な説明】
【技術分野】
【０００１】
この発明はカーテン自動開閉システムに関する。
【背景技術】
【０００２】
カーテンをリモートコントローラ（以下、リモコンと略記する。）により自動開閉するシステムが開発されつつある。例えば、特開平０５−１６８５５１号公報、特開２００１−２２４４９０号公報、特開平１１−３４２０６７号公報の開示された技術などが知られている。
特開平０５−１６８５５１号公報に開示された技術は、カーテンレール内にワイヤーを張り巡らせ、当該ワイヤーに各ランナーを結び付け、モータによりワイヤーを引き回して各ランナーを移動させ、カーテンの開閉を制御するものである。
特開２００１−２２４４９０号公報に開示された技術は、カーテンレール内にラックを張り巡らせ、当該ラックに各々のランナーを取り付け、当該ラックをモータにより引き回して各ランナーを移動させ、カーテンの開閉を制御するものである。
特開平１１−３４２０６７号公報に開示された技術は、左右の先頭ランナーに小型モータなどの駆動力を持たせて可動子としたものであり、当該可動子である左右の先頭ランナーの移動を制御することによりカーテンの開閉を制御するものである。
【０００３】
【特許文献１】特開平０５−１６８５５１号公報
【特許文献２】特開２００１−２２４４９０号公報
【特許文献３】特開平１１−３４２０６７号公報
【発明の開示】
【発明が解決しようとする課題】
【０００４】
上記従来技術におけるカーテン開閉装置を用いれば、リモコンなどの操作入力に従ってカーテンの自動開閉が可能となる。
しかし、上記従来技術におけるカーテン開閉装置は、既設のカーテンに対してそのまま使用できず、カーテンレールごと取り替えるなどの大掛かりな工事が必要になるという問題がある。
特開平０５−１６８５５１号公報に開示された技術、特開２００１−２２４４９０号公報に開示された技術によれば、カーテンレール内にワイヤーやラックを引き回す必要があり、既設のカーテンレールに対してそのまま用いることができず、特別に改造や工事する必要がある。つまり、ワイヤーやラックをカーテンレール内に張り巡らせた特別なカーテンレールを別途取り付ける必要があり、大掛かりな工事が必要となる。また、カーテンレールが設置されている空間条件は壁との距離が小さい場合や横に壁が迫っている場合など多様であり、ワイヤーやラックをカーテンレール内に張り巡らせた特別なカーテンレールを取り付ける空間が十分に確保できるとは限らない。
次に、特開平１１−３４２０６７号公報に開示された技術によれば、カーテンレール内を自由に可動できる可動子を用いる必要があるが、可動子はどのカーテンレールに対しても適用できるわけではなく、既設のカーテンレールに対してそのまま用いることができるとは限らない。可動子に適応する特別なカーテンレールを用いる必要があり、当該カーテンレール以外の既設のカーテンレールがある場合にはやはり改造や工事する必要がある。つまり、可動子の形状とカーテンレールのレール内の軌道形状の関係、可動子の可動原理とカーテンレール内の物理条件との関係が満たされなければならないからである。一般に、既設のカーテンには多様なメーカの多様な製品があり、カーテンレールのレール内の軌道形状は多様である。
【０００５】
上記問題点に鑑み、本発明は、既設のカーテンをそのまま使用することができ、特別な工事を必要とせず、既設のカーテンに対して簡単に外付けで付設することができるカーテン自動開閉システムを提供することを目的とする。
また、本発明は、既設のカーテンレールが設置されている空間条件によらず、既設のカーテンに対して外付けで付設することができるカーテン自動開閉システムを提供することを目的とする。
【課題を解決するための手段】
【０００６】
上記目的を達成するため、本発明のカーテン自動開閉システムは、モータと、前記モータによって巻き取ったり繰り出したりする複数の紐体と、それぞれの前記紐体の先端に設けられた紐体取付具と、前記モータを内蔵する筐体とを備えた左右の本体装置と、
前記左右の本体装置をカーテンレールのランナーに取り付ける吊下具とを備え、
前記右本体装置を前記吊下具を介してカーテンレールの右端の固定ランナーに取り付け、前記紐体の１つを前記紐体取付具を介して右先頭ランナーに取り付け、前記紐体の他の１つを前記紐体取付具を介して左先頭ランナーに取り付け、
前記左本体装置を前記吊下具を介してカーテンレールの左端の固定ランナーに取り付け、前記紐体の１つを前記紐体取付具を介して左先頭ランナーに取り付け、前記紐体の他の１つを前記紐体取付具を介して右先頭ランナーに取り付け、
前記左右の本体装置を前記カーテンレール端の左右の固定ランナーに吊下せしめて上下方向および左右方向に固定し、
前記モータの回転により前記紐体の巻き取りおよび繰り出しを制御して前記左右の先頭ランナーの左右方向への移動を制御し、カーテンの開閉を可能としたことを特徴とする。
上記構成により、左右の本体装置を既設のカーテンレールの端の固定ランナーリングに吊下せしめて外付けで取り付け、既設のカーテンレールが設置されている空間条件によらず、既設のカーテンに対して特別な工事をすることなく付設することができる。
なお、ここで、カーテンレールの端の固定ランナーとは、本来はカーテンの左右の端のカーテンフックの引っ掛け先となるランナーであり、カーテンレール内を移動する中間のランナーではなく、カーテンレールの端に動けないように固定されたランナーである。なお、各ランナーの先端には通常、リングが設けられており、当該リングにカーテンのカーテンフックを引っ掛けるものとなる。
【０００７】
なお、前記左右の本体装置の筐体表面に前記カーテンのカーテンフックを引っ掛けるためのダミーリングを備え、
前記左本体装置を前記カーテンレールの左端の固定ランナーに吊下せしめた状態で、前記カーテンの左端のカーテンフックを前記左本体装置の筐体表面のダミーリングに引っ掛け、前記右本体装置を前記カーテンレールの右端の固定ランナーに吊下せしめた状態で、前記カーテンの右端のカーテンフックを前記右本体装置の筐体表面のダミーリングに引っ掛けて前記カーテンを取り付けることが好ましい。
カーテンレールのランナーのうち、左右の本体装置を吊下せしめたランナーリングは吊下具が取り付けられているため、本来、当該ランナーリングに引っ掛けるべきカーテンフックの引っ掛け先が占有された状態であっても、当該カーテンフックの引っ掛け先を筐体表面のダミーリングに確保せしめ、カーテンを違和感なく取り付けることができる。
【０００８】
カーテンを自動開閉する場合の紐体の動きは以下のようにする。前記右本体装置から前記右先頭ランナーに取り付けた前記紐体を巻き取るととも前記左本体装置から前記右先頭ランナーに取り付けた前記紐体を同期せしめて繰り出し、前記左本体装置から前記左先頭ランナーに取り付けた前記紐体を巻き取るととも前記右本体装置から前記左先頭ランナーに取り付けた前記紐体を同期せしめて繰り出ことにより、前記カーテンを開き、
前記左本体装置から前記右先頭ランナーに取り付けた前記紐体を巻き取るとともに前記右本体装置から前記右先頭ランナーに取り付けた前記紐体を同期せしめて繰り出し、前記右本体装置から前記左先頭ランナーに取り付けた前記紐体を巻き取るとともに前記左本体装置から前記左先頭ランナーに取り付けた前記紐体を同期せしめて繰り出すことにより、前記カーテンを閉じる。
上記構成により、左右の先頭ランナーのそれぞれに対して、例えば、右先頭ランナーに対して両側の左右本体装置から紐体が取り付けられており、左右からの紐体の引きにより左右方向への移動を制御する。ここで、左右の紐体は一方が引くと他方が繰り出すように同期するように制御する。
【０００９】
次に、上記のカーテン自動開閉システムのいずれかにおいて、前記吊下具が、前記カーテンレールのランナーのランナーリングに引っ掛けるフック部と、前記フック部の近隣に設けられた、前記カーテンのカーテンフックの引っ掛け先となるダミーリング部分とを備え、前記左本体装置を前記カーテンレールの左端の固定ランナーに吊下せしめた状態で、前記カーテンの左端のカーテンフックを前記吊下具のダミーリング部分に引っ掛け、前記右本体装置を前記カーテンレールの右端の固定ランナーに吊下せしめた状態で、前記カーテンの右端のカーテンフックを前記吊下具のダミーリング部分に引っ掛けて前記カーテンを取り付けたものとする。
上記構成により、左右の本体装置を左右の固定ランナーに取り付け、カーテンフックの引っ掛け先となる左右の固定ランナーのリングが占有されている状態であっても、当該カーテンフックの引っ掛け先を吊下具のダミーリング部分に確保せしめ、カーテンを違和感なく取り付けることができる。
【００１０】
次に、上記のカーテン自動開閉システムのいずれかにおいて、前記吊下具が、リング形状を持ち、当該リングの一部の開閉が可能であり、カーテンランナーリングに脱着可能なリング状のフック部分を備え、前記左本体装置を前記カーテンレールの左端の固定ランナーに吊下せしめた状態で、前記カーテンの左端のカーテンフックを前記吊下具のリング状のフック部分に引っ掛け、前記右本体装置を前記カーテンレールの右端の固定ランナーに吊下せしめた状態で、前記カーテンの右端のカーテンフックを前記吊下具のリング状のフック部分に引っ掛けて前記カーテンを取り付けたものとする。
上記構成により、左右の本体装置を左右の固定ランナーに取り付け、カーテンフックの引っ掛け先となる左右の固定ランナーのリングが占有されている状態であっても、当該カーテンフックの引っ掛け先を吊下具のリング状のフック部分に確保せしめ、カーテンを違和感なく取り付けることができる。
【発明の効果】
【００１１】
本発明のカーテン自動開閉装置によれば、既設のカーテンレールに対してそのまま外付けで取り付けることができ、既設のカーテンレールが設置されている空間条件によらず、既設のカーテンに対して特別な工事をすることなく付設することができる。
【発明を実施するための最良の形態】
【００１２】
以下、図面を参照しつつ、本発明のカーテン自動開閉システムおよびカーテンランナー用取付フックの実施例を説明する。ただし、本発明の範囲は以下の実施例に示した具体的な形状、本数、大きさなどには限定されないことは言うまでもない。また、以下の説明の図において、カーテン自動開閉システムの左右の本体装置は左右対称であるので、適宜、右側本体装置のみ図示し、左側本体装置の図示を省略しているが、左側本体装置についても右側本体装置と対称に適用すれば良い。
【実施例１】
【００１３】
本発明の実施例１にかかるカーテン開閉システムの例を示す。
図１および図２は、本発明の第１のカーテン自動開閉システムの基本構成を示す６面図である。本発明の実施例１にかかるカーテン開閉システムは、複数の紐体１０と、紐体１０の先端に設けられた紐体取付具２０と、紐体１０を巻き取ったり繰り出したりするモータ３１を内蔵する筐体３０と、筐体３０をカーテンレールのランナーリングに取り付ける吊下具４０を備えた左右の本体装置１００を備えている。この例では紐体１０は２本としている（１０ａ，１０ｂ，２０ａ，２０ｂ）。
【００１４】
図３は本体装置をカーテンレールのランナーに取り付けた様子を示す図である。左右の本体装置の取り付けは左右対称で良いので、図３には右本体装置の取り付け例を示した。２２０は右端固定ランナーでありカーテンレール３００に対して固定されている。その左側には多数のランナー２００（２００ａ，２００ｂ，・・）がカーテンレールに対して可動に取り付けられている。図３では分かりやすいように右端固定ランナー２２０に隣接しているランナー２００ａのみ示している。２３０は右先頭ランナー、２４０は左先頭ランナーである。
図３に示すように、右本体装置１００を吊下具４０を介してカーテンレール３００の右端の固定ランナー２２０と隣接するランナー２００ａの２つに取り付ける。当該右固定ランナー２２０のランナーリング２１０に右側の吊下具４０ａを引っ掛けて取り付ける。そして左側の吊下具４０ｂをランナー２００ａのランナーリング２１０に対して取り付ける。右側本体装置１００は吊下具４０ａを介してカーテンレールの右端に固定され、また、隣接するランナー２００ａにも吊下具４０ｂを介して取り付けているので右側本体装置１００は上下左右に安定してカーテンレール３００に吊り下げられている。
紐体１０ａ，１０ｂを筐体３０から繰り出して先端の紐体取付具２０ａを右先頭ランナー２３０に直接取り付け、紐体取付具２０ｂ左先頭ランナー２４０に直接取り付ける。
図３には図示しないが左本体装置１００についてもカーテンレールの左端に同様に取り付けて吊下せしめ、紐体１０の１つである１０ｃの先端の紐体取付具２０ｃを右先頭ランナー２３０に、他の紐体１０ｄの先端の紐体取付具２０ｄを左先頭ランナー２４０に取り付ける。
【００１５】
本発明のカーテン開閉システムはモータの回転により左右の先頭ランナーの移動を制御し、カーテンを開閉する。図４はカーテンを開閉する場合の動きを説明する図である。なお、左側本体装置の図示は省略している。また、カーテンおよびカーテンフックの図示は省略している。
図４（ａ）はカーテンを開く場合の動きを示している。
カーテンを開く場合、右先頭ランナー２３０を右側に移動し、左先頭ランナー２４０を左側に移動するように制御する。つまり、右本体装置１００が右先頭ランナー２３０に取り付けた紐体１０ａを巻き取るととも左本体装置１００が右先頭ランナー２３０に取り付けた紐体１０ｃを同期せしめて繰り出すことにより、右先頭ランナー２３０を右側に移動する。また、左本体装置１００が左先頭ランナー２４０に取り付けた紐体１０ｄを巻き取るととも右本体装置１００が左先頭ランナー２４０に取り付けた紐体１０ｂを同期せしめて繰り出すことにより、左先頭ランナー２４０を左側に移動する。左右の先頭ランナー２３０、２４０を両側に移動させることにより他のランナー２００ａ，２００ｂもそれぞれ両端側に移動し、カーテンが開く。
【００１６】
図４（ｂ）はカーテンを閉じる場合の動きを示している。
カーテンを閉じる場合、右先頭ランナー２３０を左側に移動し、左先頭ランナー２４０を右側に移動するように制御する。つまり、左本体装置１００が右先頭ランナー２３０に取り付けた紐体１０ｃを巻き取るととも右本体装置１００が右先頭ランナー２３０に取り付けた紐体１０ａを同期せしめて繰り出すことにより、右先頭ランナー２３０を左側に移動する。また、右本体装置１００が左先頭ランナー２４０に取り付けた紐体１０ｂを巻き取るととも左本体装置１００が左先頭ランナー２４０に取り付けた紐体１０ｄを同期せしめて繰り出すことにより、左先頭ランナー２４０を右側に移動する。左右の先頭ランナー２３０、２４０を中央に移動させることにより他のランナー２００ａ，２００ｂもそれぞれ中央側に移動し、カーテンが閉じる。
【００１７】
図５は紐体取付具２０の一例を示す図である。図５（ａ）に示すようにこの例の紐体取付具２０はリング状をしており、その一部の開閉が可能な構造となっている。図５（ｂ）はカーテンランナーリング２１０に図５（ａ）に示した紐体取付具２０を取り付けた様子を示す図である。
図６（ａ）は、左右の本体装置の紐体１０の先端に図５に示した紐体取付具２０を使用した場合のカーテン開閉システムの構成において、カーテンを開く場合の動き、カーテンを閉める場合の動きを示したものである。なお、カーテン４００およびカーテンフック４１０の図示は省略しているが、カーテンフック４１０は閉状態においてリング状となっている紐体取付具２０の当該リング部分に対して取り付ければ良い。
【実施例２】
【００１８】
本発明の実施例２にかかるカーテン開閉システムの例を示す。
実施例２にかかるカーテン開閉システムは、左右の本体装置の表面にカーテンフック用のダミーリングを設けたものである。
図７は、カーテンフック用のダミーリングを設けた本体装置１００の一例を示す６面図である。筐体３０の表面にカーテンフック用のダミーリングが設けられている。
図８は、本体装置をカーテンレールのランナーに取り付けた様子を示す図である。図８には右側本体装置の取り付け例を示した。左側本体装置も同様に取り付ければ良い。この例では、吊下具４０ａ，４０ｂにより本体装置をカーテンレールに吊下せしめた状態において、カーテンフック用のダミーリング５０ａ，５０ｂの高さが各々のカーテンランナーリング２１０の高さと同程度になるように設けられている。
図９は、図８の状態から各々のカーテンランナーリング２１０およびカーテンフック用ダミーリング５０ａ，５０ｂにカーテンフックを引っ掛けてカーテンを取り付けた例を示す図である。４００はカーテン、４１０はカーテンフックである。図９の正面図に示すようにカーテン４００を取り付けた状態においてカーテン４００はカーテンレールや窓に対して違和感なく略水平に取り付けられる。
【実施例３】
【００１９】
本発明の第１のカーテンランナー用取付フックの例を示す。
本発明の第１のカーテンランナー用取付フックは、物体の先端に設けられ、物体をカーテンレールのカーテンランナーに取り付けるためのカーテンランナー用取付フックである。
図１０は実施例３に係る本発明の第１のカーテンランナー用取付フックの例を示す６面図である。第１のカーテンランナー用取付フック５００は、カーテンランナーリングに引っ掛けるためのかぎ状のフック部分５１０と、カーテンフックの引っ掛け先となるダミーリング部分５２０とを備えている。
第１のカーテンランナー用取付フック５００は、カーテンランナーに物体を取り付けるとともにカーテンフックをダミーリング部分５２０に引っ掛けて取り付け、一つのカーテンランナーに対して物体とカーテンフックの両者を取り付けせしめるものである。
【００２０】
本発明の第１のカーテンランナー用取付フックを設ける物体は多様である。
図１１は、物体の例を装置とし、本発明の第１のカーテンランナー用取付フック５００をカーテンレールに吊下せしめる装置の上部に設けた例を示す図である。つまり、本発明の第１のカーテンランナー用取付フック５００を実施例１の吊下具４０として利用した例である。
図１２（ａ）は図１１に示した装置をカーテンレール３００の右端固定ランナー２２０および隣接するランナー２００に吊下せしめた様子を示す図である。図１２（ｂ）はダミーリング部分５２０に対してカーテンフック４１０を引っ掛けて取り付ける様子を模式的に示した図である。カーテン４００の図示は省略している。このように一つのカーテンランナー２００に吊下せしめる装置１００とカーテンフック４１０の両者を取り付けせしめることができる。
【００２１】
図１３は、物体の例を紐体とし、本発明の第１のカーテンランナー用取付フック５００を紐体の先端に設けた例を示す図である。図１３（ａ）に示すように紐体１０の先端に本発明の第１のカーテンランナー用取付フック５００を設ける。例えば実施例１に示したカーテン開閉装置１００の紐体１０の紐体取付具２０として用いる。図１３（ｂ）に示すようにカーテンランナーリング２１０にフック部分５１０を引っ掛け、さらに、ダミーリング部分５２０にカーテンフック４１０を引っ掛けて取り付ける。カーテン４００の図示は省略している。このように一つのカーテンランナー２００に紐体１０とカーテンフック４１０の両者を取り付けせしめることができる。
【００２２】
図１４は、本実施例３のカーテンランナー用取付フック５００を、実施例１に示したカーテン開閉システム１００の紐体１０の先端の紐体取付具２０として使用した場合を示しており、図４と同様、図１４（ａ）がカーテンを開ける場合の動き、図１４（ｂ）がカーテンを閉める場合の動きを示したものである。カーテンフック４１０は紐体取付具２０の一部であるダミーリング部分５２０に対して取り付ければ良い。なお、カーテン４００の図示は省略している。
【実施例４】
【００２３】
本発明の第２のカーテンランナー用取付フックの例を示す。
本発明の第２のカーテンランナー用取付フックは、物体の先端に設けられ、物体をカーテンレールのカーテンランナーに取り付けるためのカーテンランナー用取付フックである。
図１５（ａ）は実施例４に係る本発明の第２のカーテンランナー用取付フックの例を示す６面図である。なお、背面図は正面図と同様、左側面図は右側面図と同様、底面図は平面図と同様にあらわれるために省略している。第２のカーテンランナー用取付フック５００ａは、カーテンランナーリングに引っ掛けるためのリング状のフック部分５１０を備えている。図１５（ｂ）は第２のカーテンランナー用取付フック５００ａをカーテンランナーに取り付ける原理を説明する図である。このリング状のフック部分５１０はリングの一部の開閉が可能な構造を備えており、閉鎖状態と開放状態を有し、カーテンランナーリングに脱着可能なものとなっている。開放状態においてはリング状のフック部分５１０はフック部分として機能し、カーテンランナーリング２１０に引っ掛けて取り付けることができ、その後閉鎖状態として離脱しないようにする。リング状のフック部分５１０はその閉鎖状態においてカーテンフックの引っ掛け先となるダミーリング部分５２０となる。つまり、カーテンランナーにリング状のフック部分を取り付けた状態において、リング状のフック部分５１０をカーテンフック４１０の引っ掛け先となるダミーリング部分５２０として使用する。このように第２のカーテンランナー用取付フック５００ａは、カーテンランナー２００に物体を取り付けるとともにカーテンフック４１０をダミーリング部分５２０に引っ掛けて取り付け、一つのカーテンランナー２００に物体とカーテンフック４１０の両者を取り付けせしめるものである。
【００２４】
本発明の第２のカーテンランナー用取付フックを設ける物体は多様である。
図１６は、物体の例を装置とし、本発明の第２のカーテンランナー用取付フック５００ａをカーテンレールに吊下せしめる装置１００の上部先端に設けた例である。つまり、本発明の第２のカーテンランナー用取付フック５００ａを実施例１の吊下具４０として利用した例である。
図１７（ａ）は図１６に示した装置をカーテンレール３００の右端固定ランナー２２０および隣接するランナー２００に吊下せしめた様子を示す図である。図１７（ｂ）はダミーリング部分５２０に対してカーテンフック４１０を引っ掛けて取り付ける様子を模式的に示した図である。カーテン４００の図示は省略している。このように一つのカーテンランナー２００に吊下せしめる装置１００とカーテンフック４１０の両者を取り付けせしめることができる。
【００２５】
図１８は、物体の例を紐体とし、本発明の第２のカーテンランナー用取付フック５００ａを紐体の先端に設けた例を示す図である。図１８（ａ）に示すように紐体１０の先端に本発明の第２のカーテンランナー用取付フック５００ａを設ける。例えば実施例１に示したカーテン開閉装置１００の紐体１０の紐体取付具２０として用いる。図１８（ｂ）に示すようにカーテンランナーリング２１０にフック部分５１０を引っ掛け、さらに、ダミーリング部分５２０にカーテンフック４１０を引っ掛けて取り付ける。カーテン４００の図示は省略している。このように一つのカーテンランナー２００に紐体１０とカーテンフック４１０の両者を取り付けせしめることができる。図１８（ｃ）は本発明の第２のカーテンランナー用取付フック５００ａを多段につなぎ、一つのカーテンランナー２００に２つの紐体１０とカーテンフック４１０の３者を取り付けせしめた例を示している。
【００２６】
図１９は、本実施例４のカーテンランナー用取付フック５００を、実施例１に示したカーテン開閉システム１００の紐体１０の先端の紐体取付具２０として使用した場合を示しており、図４と同様、図１９（ａ）がカーテンを開ける場合の動き、図１９（ｂ）がカーテンを閉める場合の動きを示したものである。なお、カーテン４００およびカーテンフック４１０の図示は省略しているが、カーテンフック４１０は紐体取付具２０の一部であるダミーリング部分５２０に対して取り付ければ良い。
【実施例５】
【００２７】
本発明の第３のカーテンランナー用取付フックの例を示す。
本発明の第３のカーテンランナー用取付フックは、物体の先端に設けられ、物体をカーテンレールのカーテンランナーに取り付けるためのカーテンランナー用取付フックである。
図２０（ａ）は実施例５に係る本発明の第３のカーテンランナー用取付フックの例を示す６面図である。なお、背面図は正面図と同様、左側面図は右側面図と同様、底面図は平面図と同様にあらわれるために省略している。第３のカーテンランナー用取付フック５００ｂは、カーテンランナーリングに取り付けるためのリング状のフック部分５１０を備えている。図２０（ｂ）は第３のカーテンランナー用取付フック５００ｂをカーテンランナーに取り付ける原理を説明する図である。カーテンランナーリング２１０の輪とリング状のフック部分５１０の輪を重ねつつ、カーテンフック４１０をカーテンランナーリング２１０の輪とリング状のフック部分５１０の輪の両者を貫くように通して引っ掛けて固定する。ここで、リング状のフック部分５１０は、カーテンランナーリング２１０との関係においてはフック部分５１０となり、カーテンフックとの関係においてはダミーリング部分５２０となっている。
このように第３のカーテンランナー用取付フック５００ｂは、カーテンランナー２００に物体を取り付けるとともにカーテンフック４１０をダミーリング部分５２０に引っ掛けて取り付け、一つのカーテンランナー２００に物体とカーテンフック４１０の両者を取り付けせしめるものである。
【００２８】
本発明の第３のカーテンランナー用取付フックを設ける物体は多様である。
図２１は、物体の例を装置とし、本発明の第３のカーテンランナー用取付フック５００ｂをカーテンレールに吊下せしめる装置１００の上部先端に設けた例である。つまり、本発明の第３のカーテンランナー用取付フック５００ｂを実施例１の吊下具４０として利用した例である。
図２２（ａ）は図２１に示した装置をカーテンレール３００の右端固定ランナー２２０および隣接するランナー２００に吊下せしめる原理を説明する図である。このように右端固定ランナーリング２１０と隣接するカーテンランナーリング２１０に第３のカーテンランナー用取付フック５００ｂを重ね合わせる。この後、図２２（ｂ）に示すようにダミーリング部分５２０に対してカーテンフック４１０を引っ掛けて取り付ける。カーテン４００の図示は省略している。このように一つのカーテンランナー２００に吊下せしめる装置１００とカーテンフック４１０の両者を取り付けせしめることができる。
【００２９】
図２３は、物体の例を紐体とし、本発明の第３のカーテンランナー用取付フック５００ｂを紐体の先端に設けた例を示す図である。図２３（ａ）に示すように紐体１０の先端に本発明の第３のカーテンランナー用取付フック５００ｂを設ける。例えば実施例１に示したカーテン開閉装置１００の紐体１０の紐体取付具２０として用いる。図２３（ｂ）に示すようにカーテンランナーリング２１０にフック部分５１０を重ね合わせ、さらにカーテンフック４１０を引っ掛けて取り付ける。カーテン４００の図示は省略している。このように一つのカーテンランナー２００に紐体１０とカーテンフック４１０の両者を取り付けせしめることができる。図２３（ｃ）は本発明の第３のカーテンランナー用取付フック５００ｂを多段に重ね合わせてカーテンフック４１０を取り付けて固定した例であり、一つのカーテンランナー２００に２つの紐体１０とカーテンフック４１０の３者を取り付けせしめた例を示している。
【００３０】
図２４は、本実施例５のカーテンランナー用取付フック５００を、実施例１に示したカーテン開閉システム１００の紐体１０の先端の紐体取付具２０として使用した場合を示しており、図４と同様、図２４（ａ）がカーテンを開ける場合の動き、図２４（ｂ）がカーテンを閉める場合の動きを示したものである。なお、カーテン４００およびカーテンフック４１０の図示は省略しているが、カーテンフック４１０は紐体取付具２０の一部であるダミーリング部分５２０に対して取り付ければ良い。
【図面の簡単な説明】
【００３１】
【図１】実施例１に係る本発明の第１のカーテン自動開閉システムの基本構成を示す６面図（正面図、背面図、右側面図、左側面図）
【図２】実施例１に係る本発明の第１のカーテン自動開閉システムの基本構成を示す６面図（平面図、底面図）
【図３】本体装置をカーテンレールのランナーに取り付けた様子を示す図
【図４】カーテンを開閉する場合の動きを説明する図
【図５】紐体取付具２０の一例を示す図
【図６】図５に示した紐体取付具２０を使用した場合のカーテンを開閉する動きを説明する図
【図７】実施例２に係るカーテンフック用のダミーリングを設けた本体装置１００の一例を示す６面図
【図８】実施例２に係る本体装置をカーテンレールのランナーに取り付けた様子を示す図
【図９】図８の状態からカーテンを取り付けた例を示す図
【図１０】実施例３に係る本発明の第１のカーテンランナー用取付フックの例を示す６面図
【図１１】本発明の第１のカーテンランナー用取付フックをカーテンレールに吊下せしめる装置の上部先端に設けた例を示す図
【図１２】図１１に示した装置をカーテンレールの右端に吊下せしめた様子を示す図
【図１３】本発明の第１のカーテンランナー用取付フックを紐体の先端に設けた例を示す図および紐体をカーテンランナーに取り付ける例を示す図
【図１４】図１３に示した紐体取付具２０を使用した場合のカーテンを開閉する動きを説明する図
【図１５】実施例４に係る本発明の第２のカーテンランナー用取付フックの例を示す６面図およびその取り付けの原理を示す図
【図１６】本発明の第２のカーテンランナー用取付フックをカーテンレールに吊下せしめる装置の上部先端に設けた例を示す図
【図１７】図１６に示した装置をカーテンレールの右端に吊下せしめた様子を示す図
【図１８】本発明の第２のカーテンランナー用取付フックを紐体の先端に設けた例を示す図および紐体をカーテンランナーに取り付ける例を示す図
【図１９】図１８に示した紐体取付具２０を使用した場合のカーテンを開閉する動きを説明する図
【図２０】実施例５に係る本発明の第３のカーテンランナー用取付フックの例を示す６面図およびその取り付けの原理を示す図
【図２１】本発明の第３のカーテンランナー用取付フックをカーテンレールに吊下せしめる装置の上部先端に設けた例を示す図
【図２２】図２１に示した装置をカーテンレールの右端に吊下せしめた様子を示す図
【図２３】本発明の第３のカーテンランナー用取付フックを紐体の先端に設けた例を示す図および紐体をカーテンランナーに取り付ける例を示す図
【図２４】図２３に示した紐体取付具２０を使用した場合のカーテンを開閉する動きを説明する図
【符号の説明】
【００３２】
１０  紐体
２０  紐体取付具
３０  筐体
４０  吊下具
５０  ダミーリング
１００  本体装置
２００  ランナー
２１０  ランナーリング
２２０  右端固定ランナー
２１０  
２３０  右先頭ランナー
２４０  左先頭ランナー
３００  カーテンレール
４００  カーテン
４１０  カーテンフック
５００，５００ａ，５００ｂ  カーテンランナー用取付フック
５１０  フック部分
５２０  ダミーリング部分
【要約】 
【課題】  既設のカーテンレールの空間条件によらずに外付けし、カーテンを自動的に開閉する装置を提供する。
【解決手段】  複数の紐体１０と、紐体先端の紐体取付具２０と、紐体１０を巻き取ったり繰り出したりするモータを内蔵する筐体３０と、筐体３０をカーテンレール３００のランナーリング２１０に取り付ける吊下具４０を備えた左右の本体装置を備える。本体装置１００を吊下具４０を介してカーテンレールの左右端のランナーに吊下せしめて外付けで取り付け、紐体取付具２０を介して紐体１０を左右の先頭ランナーに取り付ける。周囲の壁などの空間条件によらず確実に外付けすることができ、また、特別な取り付け工事が不要となる。モータの回転により紐体１０の巻き取りと繰り出しを制御して左右の先頭ランナーの移動を制御し、カーテンの開閉を可能とする。
【選択図】  図４
【図１】
0003669589.tif 000002
【図２】
0003669589.tif 000003
【図３】
0003669589.tif 000004
【図４】
0003669589.tif 000005
【図５】
0003669589.tif 000006
【図６】
0003669589.tif 000007
【図７】
0003669589.tif 000008
【図８】
0003669589.tif 000009
【図９】
0003669589.tif 000010
【図１０】
0003669589.tif 000011
【図１１】
0003669589.tif 000012
【図１２】
0003669589.tif 000013
【図１３】
0003669589.tif 000014
【図１４】
0003669589.tif 000015
【図１５】
0003669589.tif 000016
【図１６】
0003669589.tif 000017
【図１７】
0003669589.tif 000018
【図１８】
0003669589.tif 000019
【図１９】
0003669589.tif 000020
【図２０】
0003669589.tif 000021
【図２１】
0003669589.tif 000022
【図２２】
0003669589.tif 000023
【図２３】
0003669589.tif 000024
【図２４】
0003669589.tif 000025